(57)【要約】【課題】  本発明は、赤マツの土壌における微生物活性や土壌微生物、森林土壌の物理的、化学的な抑制には地温の影響が大であり、それらの切迫した事情と世論の要請などによって研究開発されたものであって、安価かつ簡略な構造と形状でありながら短時間で根茎に装着して地温の管理が容易であることを特徴とする新規で斬新な根茎温度管理装置を提供することができる。【解決手段】  本発明の目的は、赤マツの根茎とその付近の土壌に熱を伝達する網状で円筒型の器具であって、地上に突き出した部分を加熱することによって温度の管理が可能となり、地温上昇と保温の状況を容易に観察することができる。【選択図】  図１
2008228606.tif 000002
【特許請求の範囲】
【請求項１】
赤マツの根茎と、その付近の土壌に熱を伝達する器具であって、温度の管理を可能とする根茎温度管理装置。
【請求項２】
網状の円筒および該円筒の少なくても一部に接着されている角からなっている請求項１記載の根茎温度管理装置。
【請求項３】
角を加熱することによって、根茎温度管理装置の温度管理を可能とすることを特徴とする赤マツの根茎および、その付近の土壌に熱を伝達する方法。
【発明の詳細な説明】
【技術分野】
【０００１】
本発明は、赤マツの根茎とその付近の土壌を適温に管理することで松茸を適切に生育させて、その収穫を増加させることを目的とする新規で斬新な根茎温度管理装置に関するものである。
【背景技術】
【０００２】
松茸は昭和１６年の生産量を最高に、昭和４５年頃からその生産量が激減し、近年の収穫高はその当時の６０分の１にまで減少している。その原因は定かではないが、農林業の近代化によって活性を維持してきた里山林が激減して放置され、その地域の極山林に遷移していることが特徴とされる。それは里山林の生態系を壊していることであり、数十年における人的怠慢による枯葉や腐植層の堆積量が森林破壊を招き、土壌の整備などの保全を怠るなどの森林放置が松茸の絶滅に近づけてその生体系が終わり、シロの育成が激減して菌の繁殖が皆無に近づいたとも考えられる。
【０００３】
早急に赤マツ林の手入れと土壌の整備を実施して枯損を防ぐのが不可欠であるが、その方向性が示されていないのが現状である。林の放置される期間が長くなるほど広葉樹の立木密度が増加の傾向をたどり、採光も少なく薄暗くなって湿潤の度合いが大きくなる。その結果として、地表には落ち葉や腐植が想像以上に堆積して、その土壌には栄養分が蓄積されて糸状菌や細菌、放線菌などが多くなり、赤マツの生育を妨げる原因となる。
【発明の開示】
【発明が解決しようとする課題】
【０００４】
松茸の林地栽培には赤マツの林が絶対的に不可欠であり、再び昭和３０年代の活性化した状態で生育をつづける林を取り戻すことに尽きる。そのためには林の環境整備を速やかに実行して、深く堆積している腐植層を取り除くことが必要である。そして土壌に落ちた数百億ともいわれる松茸の胞子が、適切な温度と水分の中で発芽して菌糸細胞を形成してと赤マツの細根に感染して菌根となるためには、弱酸性の土壌を保ち、火山灰土、蛇紋岩や石灰岩を避けての整備が望まれる。また、常にマツクイムシの防除や伐倒駆除、樹乾注入剤の使用と補整作業をつづけて最適な環境の保全に努めることが不可欠ではあるが、そこで最も注目すべき点は赤マツの根茎とその周辺の温度管理と土壌水分含量に着眼すべきである。
【０００５】
特に寒冷地の土壌は根茎とその周辺の温度差が大きく、自然では菌糸の伸長温度とされている最適な温度を保つのは困難である。いままで学会などで議論されてきた栽培法〈人工栽培を含む〉では様々な点で画期的な研究がなされてきたが、植物の基本的な問題である土壌における微生物活性や土壌微生物。森林土壌の物理的、化学的なコントロールには地温の管理を欠かすことはできない重要な要項である。本発明は、上述したような切迫した事情と世論の要請などによって研究開発されたものであり、本体は安価で簡略な構造と形状でありながら短時間で根茎に装着して地温の管理が容易であることを特徴とする、新規で斬新な根茎温度管理装置を提供することを目的としている。
【課題を解決するための手段】
【０００６】
上記目的を達成するための請求項１記載の発明は、赤マツの根茎とその付近の土壌に熱を伝達する器具であって、温度の管理を可能とすることを特徴とするものである。
【０００７】
上記目的を達成するための請求項２記載の発明は、赤マツの根茎とその付近の土壌に熱を伝達する網状で円筒型の器具であって、地上に突き出した部分を加熱することによって温度の管理を可能とすることを特徴とするものである。本発明の目的は、赤マツの根茎および、その付近の土壌に熱を伝達する器具であって、温度の管理を可能とする根茎温度管理装置によって達成される。
【発明の効果】
【０００８】
以上の説明から明らかなように本発明にあっては次に列挙する効果が得られる。
（１）請求項１記載の根茎温度管理装置は、赤マツの根茎とその付近の土壌に熱を伝達する器具であって、その状況に応じて温度の管理を可能とすることが容易でその作業も極めて簡単明瞭で、だれにでも短時間に行うことができて、その後の温度上昇と保温の状況を容易に観察することができる。
【０００９】
（２）請求項２記載、本発明の根茎温度管理装置は、赤マツの根茎とその付近の土壌に熱を伝達する網状から成る円筒型の器具であって、地上に突き出した部分の該円筒形の少なくても一部に接着されている角を手早く加熱することによって温度上昇と保温の状況を短時間で観察することが容易であり、それによって作業効率を高めて短期間の予測が可能である。
【発明を実施するための最良の形態】
【００１０】
以下、本発明をより詳細に記述するために、実施の形態を図に基づいて説明する。図１は本発明による根茎温度管理装置の概略図を示す。Ｍは本体。Ａの網状円筒は赤マツの根茎の先を挿入する部分。Ｂは熱伝導板。Ｃは加熱箇所、Ｄは本体Ｍを僅かながら保温可能とする螺旋状金属線である。
【００１１】
前記の根茎温度管理装置を構成するＭ本体は、根茎を挿入した状態で長期の期間土壌に埋め込むことを目的とするために頑強で腐食しない金属が要求され、Ａ、Ｂ、Ｃ、Ｄで構成される部分のすべてはステンレスが望ましいが、本来の目的により極度に熱伝導率の低い金属は適当ではない。
【００１２】
Ｂに示す熱伝導板とＤの保温補助鉄線に伝わる熱温度は低温状況が予想されて極度な高温にさらされることはないが、その回数が頻繁であることからその耐久性を考慮すると、その形状と材質を重視しなければならない。また、Ｃ面はＢ材の延長であり直接土壌から突き出して熱源に触れるため、低温とはいえ耐熱性には注意を要する。またＤの保温補助鉄線はＢ、Ｃの熱伝導板とは異なり、伝わる熱源は僅かであることが予想されるので、その直径は熱伝導板の板圧を基準にするのが望ましい。
【００１３】
Ｍ本体の大きさは根茎の太さにもよるが、挿入する根茎を仮りに５ｍｍから８ｍｍ程度にした場合、Ａの網状円筒の直径は若干の余裕と土が進入するすき間等を考慮して２ｃｍほどが適当であると思われる。円筒の長さは根茎の太さを基準にするとその数値は１５ｃｍから２０ｃｍ程度が望ましい。また、円筒の網のメッシュは土壌の土が網目から進入して根茎を覆い包むことを目的としていることから、細かい形状よりやや荒い２０メッシュ程度の使用が望ましい。
【００１４】
また、Ｂ、Ｃの熱伝導板はその熱伝導率にもよるが、形状としてはＡの網状円筒に密着させる作業を考えると幅は１ｃｍから１．５ｃｍ、板圧は０．３ｍｍから０．５ｍｍ程度が望ましく、全長はＡの網状円筒と同じ長さが最良であり、Ｌ字形の立ち上がりは地上から根茎までの距離にＣの加熱面を加えた長さが最適な寸法である。 なお、Ａの網状円筒に螺旋状に巻くＤの保温補助鉄線の巻き数は土壌の平均的地温を考慮して決定するが、主に熱の伝導は Ｂ、Ｃの熱伝導板によるものが大であることから、それほど重要視するものではないが、根茎とその付近の土壌に対しての微妙な保温の効果が得られることは実証済みのことである。
【００１５】
実際例を説明する。長雨などによる地温の低下の場合、地上に突き出したＣを加熱するのであるが、その方法としては携帯用のガスバーナなどの使用が考えられる。その加熱時間と温度はその場所の気温と地温によって判断されるべきであり、土壌内の適温に近づけることが最大の条件となる。また、Ｃ面の効用としては自然の採光によって温められる効果も皆無ではなく、その反面、寒冷時にはそれによって低温が伝導される場合も考えるためにＣ部分を覆うキャップなどを採用することも地温管理では考慮しなければならない要件である。
【図面の簡単な説明】
【００１６】
【図１】本発明を実施するための最良の形態である概要図である。
【符号の説明】
【００１７】
Ｍ    根茎温度管理装置の本体。
Ａ    網状円筒
Ｂ    熱伝導板
Ｃ    熱伝導板の加熱箇所
Ｄ    網状円筒の保温補助鉄線
【図１】
2008228606.tif 000003